(57)【特許請求の範囲】
【請求項１】
障子を枠の室外側に突出して開放すると共に、その障子の開放角度を制限する制限装置を備えた窓用建具であって、
前記窓が閉じた状態で、枠の縦枠と障子の縦框との間に気密された空間部を形成し、
この空間部に前記制限装置を設け、
前記制限装置は、障子の縦框に室内側方向に揺動自在に設けられ、かつ摺動子を有したアームと、枠の縦枠に設けたガイドを備え、このガイドは固定ガイドと可動ガイドを有し、可動ガイドを移動することで前記アームの摺動子を摺動ガイドするガイド状態と、前記摺動子が挿入、抜け出し可能な非ガイド状態に切り替え可能で、
ガイド状態のときには障子の開放角度を制限して障子を全開位置まで移動しないようにし、非ガイド状態のときには障子の開放角度を制限せずに障子を全開位置まで移動でき、
前記可動ガイドを移動する切替治具の長手方向一端寄り部分を、前記縦枠と縦框との間から前記空間部に入り込む鉤形状とし、その部分に前記可動ガイドを移動する操作部を設け、
前記切替治具に係合部を設け、該係合部が係合する係合受部を障子に設けたことを特徴とする窓用建具。
【請求項２】
前記切替治具の係合部を突部とし、前記障子の係合受部を下框の下面に形成した穴とし、切替治具の突部を下框の下面に沿って長手方向にスライドすることで突部が穴に嵌合するようにした請求項１記載の窓用建具。
【発明の詳細な説明】
【技術分野】
【０００１】
本発明は、すべり出し窓、回転窓、開き窓のように、障子を、枠の室外側に突出して開放する窓用建具に関する。
【背景技術】
【０００２】
従来、障子を枠の室外側に突出して開放する窓用建具においては、障子を全開位置まで移動して窓を全開状態とすると、子供が誤って転落する等の事故が発生する恐れがあるので、障子の開放角度を制限する制限状態と非制限状態とに切り替えできる制限装置を備え、通常時には、障子を半開位置までしか移動できずに窓を半開状態にしかできないようにして、窓の開放角度を制限し、障子を掃除する等の場合には障子を全開位置まで移動して窓を全開状態にできるようにした窓用建具が提案されている。
【０００３】
例えば、特許文献１に開示したように、障子の上框に取り付けたアームの移動を、枠の上枠に設けたロック板で制限することで障子の開放角度を制限し、前記ロック板を特殊工具で移動することで、アームの移動を制限しないようにし、障子を全開位置まで移動して窓を全開状態にできるようにした窓用建具（回転窓）が提案されている。
【先行技術文献】
【特許文献】
【０００４】
【特許文献１】特開平１１−９３４９１号公報
【発明の概要】
【発明が解決しようとする課題】
【０００５】
前述した従来の窓用建具であれば、一般の人が窓を全開状態にできないので、窓から子供が誤って転落する等の事故が発生することを防止できる。
しかも、建物の管理者、窓を清掃する人などの特定の人が特殊工具を用いて窓を全開状態にできるので、窓の清掃、点検などを容易にできる。
しかしながら、全開状態の窓を閉める場合には、前述した特定の人が、窓から身を室外に大きく乗り出し、手を伸ばして全開位置の障子のハンドルに手を掛け、障子を閉じ位置に向けて移動する必要があるので、その操作のときに特定の人が窓から転落する危険性があり、恐怖感を感じることがある。このことは、障子を全開位置まで移動する場合も同様である。
【０００６】
本発明は、一般の人が窓を全開状態にできないが、特定の人は窓を全開状態にでき、しかも、特定の人が全開位置の障子を安全に、恐怖感なく閉じることができると共に、障子を安全に、恐怖感なく全開できるようにした窓用建具とすることである。
【課題を解決するための手段】
【０００７】
本発明は、障子を枠の室外側に突出して開放すると共に、その障子の開放角度を制限する制限装置を備えた窓用建具であって、
前記窓が閉じた状態で、枠の縦枠と障子の縦框との間に気密された空間部を形成し、
この空間部に前記制限装置を設け、
前記制限装置は、障子の縦框に室内側方向に揺動自在に設けられ、かつ摺動子を有したアームと、枠の縦枠に設けたガイドを備え、このガイドは固定ガイドと可動ガイドを有し、可動ガイドを移動することで前記アームの摺動子を摺動ガイドするガイド状態と、前記摺動子が挿入、抜け出し可能な非ガイド状態に切り替え可能で、
ガイド状態のときには障子の開放角度を制限して障子を全開位置まで移動しないようにし、非ガイド状態のときには障子の開放角度を制限せずに障子を全開位置まで移動でき、
前記可動ガイドを移動する切替治具の長手方向一端寄り部分を、前記縦枠と縦框との間から前記空間部に入り込む鉤形状とし、その部分に前記可動ガイドを移動する操作部を設け、
前記切替治具に係合部を設け、該係合部が係合する係合受部を障子に設けたことを特徴とする窓用建具である。
【００１１】
本発明は、前記切替治具の係合部を突部とし、前記障子の係合受部を下框の下面に形成した穴とし、切替治具の突部を下框の下面に沿って長手方向にスライドすることで突部が穴に嵌合するようにした窓用建具とすることができる。
このようにすれば、切替治具を障子に簡単な操作で連結できる。
【発明の効果】
【００１２】
本発明によれば、一般の人が障子を全開位置まで移動できずに半開位置までしか移動できないが、特定の人は切替治具を用いて可動ガイドを移動してガイド状態に切り替えて障子を全開位置まで移動できるので、窓を全開状態にできる。
また、切替治具を利用して全開位置の障子を閉じ位置に向けて移動できるし、障子を全開位置まで移動できるので、特定の人が全開位置の障子を安全に、恐怖感なく閉じることができると共に、障子を安全に、恐怖感なく全開できる。
しかも、切替治具を利用しているので、他の部材が不要で、コスト安にできる。
また、制限装置を枠の縦枠と障子の縦框との間に形成した気密された空間部に設け、前記切替治具の長手方向一端寄り部分を、前記空間部に入り込む鉤形状とし、その部分に操作部を設けたので、制限装置によって窓の気密性が低下することがない。
しかも、切替治具の長手方向一端寄り部分を空間部に入れることができ、障子閉じ状態で制限装置を切り替えできる。
【図面の簡単な説明】
【００１３】
【図１】本発明の実施の形態を示すすべり出し窓の内観図である。
【図２】障子の開放状態の説明図である。
【図３】制限装置を取り付けた部分の一部破断拡大内観図である。
【図４】制限装置を展開した状態の正面図である。
【図５】図３のＡ−Ａ断面図である。
【図６】障子を半開した状態の説明図である。
【図７】切替治具の斜視図である。
【図８】下框と切替治具の説明図である。
【図９】切替治具の下框に対する回動の動作説明の平面図である。
【発明を実施するための形態】
【００１４】
図１に示すように、枠１と障子２で窓用建具としてある。
前記枠１は、上枠１０、下枠１１、左右一方の縦枠１２、左右他方の縦枠１３で方形状である。
前記障子２は、上框２０、下框２１、左右一方の縦框２２、左右他方の縦框２３を方形状に連結し、その内部にパネル２４が装着してある。
前記障子２は枠１に、その枠１の室外側に突出して開放するように取り付けてある。
例えば、前記上枠１０と上框２０及び、下枠１１と下框２１に亘って、すべり出し用アーム３をそれぞれ取り付け、左右一方の縦框２２に取り付けたハンドル２５を持って障子２を室外側に突出した開き位置と枠１内の閉じ位置とに亘って移動自在とし、縦すべり出し窓としてある。
これに限ることはなく、回転窓、開き窓などでも良い。
【００１５】
前記枠１と障子２とに亘って障子開放角度を制限する制限装置４が取り付けてある。例えば、左右一方の縦枠１２と左右一方の縦框２２とに亘って障子開放角度を制限する制限装置４が取り付けてある。
前記制限装置４は、後述する切替治具によって障子の開放角度を制限する制限状態と、障子の開放角度を制限しない非制限状態とに切り替えられる。
【００１６】
そして、前記制限装置４が制限状態のときには、図２（ａ）に示すように、障子２を半開位置までしか移動できず窓を半開状態にしかできない。
前記制限装置４が非制限状態のときには、図２（ｂ）に示すように、障子２を全開位置まで移動して窓を全開状態にできる。
図２（ａ），（ｂ）には前述したすべり出し用アーム３の図示を省略してある。
【００１７】
前記切替治具は障子２に係脱自在で、その切替治具を用いて全開位置の障子２を閉じ位置に向けて移動できるようにしてある。
例えば、図２（ｂ）に仮想線で示すように、切替治具５を人が手で持ち、枠１から室外側に突き出し、その切替治具５の係合部５ａを全開位置の障子２の係合受部２ａに係合して切替治具５を障子２に連結する。
この状態で切替治具５を枠１から室内側に向けて移動して障子２を閉じ位置に向けて移動する。
そして、障子２が、そのハンドル２５を枠１から身を室外に突出せずに楽に握持できる位置まで移動したら、切替治具５を障子２から外し、ハンドル２５を握持して障子２を閉じ位置まで閉じ移動する。
【００１８】
前記切替治具２を用いて障子２を全開位置まで移動することができる。
例えば、障子２をハンドル２５を持って若干開放した状態で、切替治具５の係合部５ａを障子２の係合受部２ａに係合して切替治具５を障子２に連結し、その切替治具５を室外側に突き出すようにして障子２を押して全開位置まで移動する。
【００１９】
前述したように、切替治具５を用いて制限装置４を非制限状態に切り替えなければ障子２を全開位置まで移動できないので、一般の人が窓を全開状態にできないが、特定の人は窓を全開状態にできる。
また、前述の切替治具５を利用して全開位置の障子２を閉じ位置に向けて移動できるので、特定の人が全開位置の障子２を安全に、恐怖感なく閉じることができる。
また、前述の切替治具５を利用して障子２を全開位置まで移動できるので、特定の人が障子２を安全に、恐怖感なく全開できる。
しかも、他の部材が不要で、コスト安にできる。
【００２０】
前記制限装置４は、図３〜図６に示すように、障子２の一方の縦框２２に取り付けたアーム４０と、枠１の一方の縦枠１２に取り付けたガイド４１を備えている。
前記アーム４０は、その長手方向一端部が縦框２２に支軸４２で室内外側方向に揺動自在に取り付けてある。このアーム４０の長手方向他端部には摺動子４３が取り付けてある。
このアーム４０は、外力が作用しなければ自重によって縦框２２と平行の姿勢、つまり垂直姿勢となるようにしてある。
【００２１】
前記ガイド４１は、前記アーム４０の摺動子４３を縦枠１２の長手方向に摺動自在にガイドするもので、前記アーム４０が垂直姿勢のときに摺動子４３が挿入、抜け出し可能な非ガイド状態と、摺動子４３が抜け出し不可能なガイド状態とに切り替えでき、前記切替治具５によって切り替えられる。
【００２２】
このようであるから、ガイド４１を非ガイド状態とすれば、障子２を閉じ位置とすることで摺動子４３がガイド４１に挿入し、障子２を開き位置に向けて移動すれば摺動子４３がガイド４１から抜け出しするので、障子２の開放角度を制限することがなく、制限装置４は非制限状態となる。
また、障子２を閉じ位置として摺動子４３をガイド４１に挿入した状態で、前述の切替治具５によってガイド４１をガイド状態に切り替え、障子２を開き位置に向けて移動すると摺動子４３がガイド４１に沿って摺動し、アーム４０が横向姿勢に回動するので、障子２の開放角度をアーム４０によって制限する。つまり、制限装置４は制限状態となる。
【００２３】
前述したように、制限装置４は障子２を閉じ位置としたときに制限状態と非制限状態とに切り替えられるので、半開状態の窓を全開状態とするには、障子２を一度閉じなければならず、安全性がより一層向上する。
【００２４】
前記ガイド４１の実施の形態を説明する。
前記ガイド４１は、縦枠１２に取り付けた固定ガイド４４と、可動ガイド４５を有している。
前記固定ガイド４４は第１ガイド溝４６を有し、その第１ガイド溝４６は縦枠１２の長手方向に向かうと共に、下端面４４ａに開口している。
前記可動ガイド４５は第２ガイド溝４７を有し、その第２ガイド溝４７は縦枠１２の長手方向に向かうと共に、上端面４５ａに開口している。
前記可動ガイド４５は、第１位置と第２位置とに亘って移動自在で、その可動ガイド４５が第１位置のときには、図６に示すように、その上端面４５ａが固定ガイド４４の下端面４４ａに接して第１ガイド溝４６と第２ガイド溝４７が上下方向に連続して前述のガイド状態となり、障子２を開放することで摺動子４３が第１ガイド溝４６の上端まで摺動してアーム４０が横向姿勢となる。
【００２５】
前記可動ガイド４５が第２位置のときには、図４に示すように、その上端面４５ａが固定ガイド４４の下端面４４ａと離隔し、その上端面４５ａと下端面４４ａとの間に前記摺動子４３が挿入、抜け出し自在で、前述の非ガイド状態となり、障子２を開放することで摺動子４３がガイド４１から抜け出し、障子２を閉じることで摺動子４３がガイド４１内に挿入する。
【００２６】
前記固定ガイド４４は、板材を折曲げ加工して一側取付片４４ｂと中間ガイド片４４ｃと他側取付片４４ｄを有する略コ字形状で、その一側取付片４４ｂと他側取付片４４ｄが縦枠１２の縦框２２と対向した内側面１２ａに固着具で固着して取り付けてある。
前記中間ガイド片４４ｂに第１ガイド溝４６が形成してある。
前記可動ガイド４５は長孔４５ｂを有し、この長孔４５ｂに摺動自在に嵌挿したガイドピン４５ｃが前記他側取付片４４ｄに固着され、可動ガイド４５は他側取付片４４ｄに移動自在に取り付けてある。
この可動ガイド４５に受部、例えば凹部４８が形成してある。
【００２７】
前記縦枠１２は図５に示すように、室内外側方向に向かう内側面１２ａの室内側寄りに内向片１２ｂを有し、この内向片１２ｂに縦シール材１２ｃが室外側に向けて装着してある。
前記縦框２２は室内側縦板２２ａと室外側縦板２２ｂと連結板２２ｃを有し、その連結板２２ｃ（つまり、縦枠１２と対向した外側面）に前述のアーム４０が次のように取り付けられる。
図３、図４に示すように、連結板２２ｃにブラケット４９を取り付け、このブラケット４９に固着した支軸４２に、アーム４０の一端部を室内外側方向に揺動自在で、かつ左右方向に揺れ動くように取り付け、ばね４９ａでブラケット４９に押しつけて垂直姿勢に保持してある。
前記ブラケット４９は押え片４９ｂを有し、この押え片４９ｂでアーム４０が室外側に揺動しないようにしている。
【００２８】
前記室外側縦板２２ｂに装着した縦シール材２２ｄが縦枠１２の内側面１２ａに接し、室内側縦板２２ａが縦シール材１２ｃに接する。
このようにすれば、障子２が閉じ状態のときに、縦枠１２の内側面１２ａと縦框２２の外側面２２ｃとの間に気密、水密された空間部を形成し、この空間部に前記制限装置４が取り付けてあるので、窓の水密性を保つことができる。
【００２９】
前記切替治具５は、図７に示すように長尺な本体５０の長手方向一端寄部分が、その本体５０と略直角方向に折曲した折曲片５１と、この折曲片５１と連続した本体５０と略平行な先端片５２とで鉤形状で、その先端片５２の先端面５２ａと連続し、かつ先端片５２と略直角方向に折曲した先端折曲片５３を有し、この先端折曲片５３が前記可動ガイド４５の凹部４８に嵌まり合う操作部５ｂである。
前記先端片５２の上端面５２ｂに突部、例えば立上り片５４が設けてあり、この立上り片５４が前述の係合部５ａである。この実施の形態では折曲片５１と先端片５２を同一幅（上下寸法が同一）とし、その上部を切り欠きすることで前述の立上り片５４を設けてある。
【００３０】
このようであるから、図５に示すように、障子２を開放した状態で、切替治具５の折曲片５１を縦枠１２のシール材１２ｃに接し、先端片５２を可動ガイド４５に押しつけるようにして先端折曲片５３を凹部４８に嵌め込む。
これにより、切替治具５の本体５０は窓よりも室内側に向かうので、後述するように本体５０を持って上下に移動する操作がやり易い。
この状態で障子２を閉じることで、縦框２２の室内側縦板２２ａが折曲片５１に接触し、切替治具５の長手方向一端寄部分を前述の空間部内に位置させることができる。
そして、本体５０を持って上下に移動することで可動ガイド４５を第１位置、第２位置に移動できるから、障子２を閉じた状態で制限装置４を制限状態、非制限状態に切り替えることができる。
【００３１】
前記障子２の下框２１は、図８に示すように、室内側縦板２１ａと室外側縦板２１ｂと上下の横板２１ｃ，２１ｄを有し、その下の横板２１ｄ（つまり、下框２１の下面）に穴２１ｅを形成し、その穴２１ｅに前記切替治具５の立上り片５４が嵌合するようにして前述の係合受部２ａとしてある。
前記下框２１の穴２１ｅは、長手方向の任意の位置に形成することができるが、長手方向一端寄りで障子開放時に室外側寄りとなる位置に穴２１ｅを形成すると、身を乗り出す必要があり、長手方向他端寄りで障子開放時に室内側寄りとなる位置に穴２１ｅを形成すると障子を閉じる力が大きく必要となるので、前述の穴２１ｅは下框２１の長手方向中間部に形成することが好ましい。
【００３２】
このようであるから、全開位置の障子２の下框２１の下面に、切替治具５の立上り片５４を接して長手方向にスライドすることで、その立上り片５４を穴２１ｅに嵌合して連結でき、切替治具５を障子２の下框２１に簡単な操作で連結できる。
しかも、下框２１の下面に穴２１ｅを形成したので、その穴２１ｅが見えづらく見栄えが良い。
【００３３】
前記切替治具５の係合部５ａと障子２の係合受部２ａを、その係合部分を中心として切替治具５が障子２に対して左右方向に回動可能な形状とすれば、障子２の開き角度によって切替治具５を室内側に向けて引きやすい方向に回動できるから、障子２を閉じ操作し易い。
例えば、図９に示すように、下框２１の下横板２１ｄに円形の穴２１ｅを形成して係合受部２ａとし、切替治具５の立上り片５４（突部）を、前記穴２１ｅに挿入すると共に、穴２１ｅを中心として左右方向に回動できる形状とする。
このようにすれば、切替治具５を下框２１に対して、図９に実線で示す姿勢、一点鎖線で示す姿勢、ニ点鎖線で示す姿勢に、左右方向に回転できる。
前記切替治具５に落下防止用のストラップを取り付け、そのストラップを手首などに掛けて切替治具５を誤って落とすことがないようにすることが好ましい。
【００３４】
前述の障子２の係合受部２ａ、切替治具５の係合部５ａは穴、立上り片に限ることはなく、係合受部２ａとしては打ち出し突起、凹部、切欠き部などとし、係合部５ａとしてはそれらに長手方向に動かないように係合するものとする。
また、係合受部２ａは障子２と別体として障子２、例えば下框２１に固着しても良いし、係合部５ａは切替治具５と別体として固着しても良い。
【００３５】
前記切替治具５は、長さ調整自在として制御装置４を切り替えるときには短く、全開位置の障子を閉じ位置に向けて移動するときには長くするようにしても良い。
例えば、前述の本体５０を折り畳み自在、スライド自在とする。
このようにすれば、開口幅の大きな窓の場合でも全開位置の障子２を閉じ位置に向けて安全に移動できるし、制限装置４を切り替え操作し易くできる。
【符号の説明】
【００３６】
１…枠、２…障子、２ａ…係合受部、４…制限装置、５…切替治具、５ａ…係合部、１２…縦枠、２１…下框、２１ｅ…穴、２２…縦框、４０…アーム、４１…ガイド、４３…摺動子、４８…凹部、５１…折曲片、５３…先端片、５３…先端折曲片（操作部）、５４…立上り片（突部）。
【図１】
0005354610.tif 000002
【図２】
0005354610.tif 000003
【図３】
0005354610.tif 000004
【図４】
0005354610.tif 000005
【図５】
0005354610.tif 000006
【図６】
0005354610.tif 000007
【図７】
0005354610.tif 000008
【図８】
0005354610.tif 000009
【図９】
0005354610.tif 000010